(57)【要約】【課題】  本発明は、簡単な構成により、簡単な構成により、温かみのある白色光を出射するようにしたＬＥＤを提供することを目的とする。【解決手段】  一対の電極部材１１，１２と、一方の電極部材の先端に設けられたチップ実装部１１ａ上に接合されると共に、双方の電極部材に対して電気的に接続されたＬＥＤチップ１３と、このＬＥＤチップを包囲するように形成された波長変換材料を混入した透明樹脂部１４と、を含んでいるＬＥＤ１０であって、上記ＬＥＤチップが、紫外光，青色光及び／または緑色光を出射するＬＥＤチップであり、上記透明樹脂部に混入された波長変換材料１４ａ，１４ｂが、上記ＬＥＤチップ１３からの光をより長波長の緑色光及び赤色光に変換するように、ＬＥＤ１０を構成する。【選択図】        図１
2005285925.tif 000002
【特許請求の範囲】
【請求項１】
一対の電極部材と、
一方の電極部材の先端に設けられたチップ実装部上に接合されると共に、双方の電極部材に対して電気的に接続されたＬＥＤチップと、このＬＥＤチップを包囲するように形成された波長変換材料を混入した透明樹脂部と、を含んでいるＬＥＤであって、
上記ＬＥＤチップが、紫外光，青色光及び／または緑色光を出射するＬＥＤチップであり、
上記透明樹脂部に混入された波長変換材料が、上記ＬＥＤチップからの少なくとも一部の光をより長波長の緑色光及び赤色光に変換することを特徴とする、ＬＥＤ。
【請求項２】
上記一対の電極部材が、互いに並行に延びる二本のリードフレームであって、
さらに、双方のＬＥＤチップ及び透明樹脂部を包囲する透明樹脂から成るレンズ部を備えていることを特徴とする、請求項１に記載のＬＥＤ。
【請求項３】
上記一対の電極部材が、チップ基板上に形成され、チップ基板裏面まで回り込んで表面実装用端子を画成する導電パターンから構成されており、
上記透明樹脂部が、チップ基板上に形成された枠状部材のチップ実装部を露出させるように上方に拡った凹陥部内に充填されていることを特徴とする、請求項１に記載のＬＥＤ。
【請求項４】
上記波長変換材料が、ＬＥＤチップからの光により、５３５乃至５６０ｎｍにピーク波長を有する緑色光と、６２０乃至６４０ｎｍにピーク波長を有する赤色光を発生させることを特徴とする、請求項４に記載のＬＥＤ。
【請求項５】
上記波長変換材料が、第一の蛍光体としてのチオガレート蛍光体と、第二の蛍光体としての希土類を付活したアルミン酸塩または希土類を付活したオルトケイ酸塩と、を含んでいることを特徴とする、請求項１から４の何れかに記載のＬＥＤ。
【請求項６】
上記波長変換材料が、フェニル基を含まない脂環式エポキシ樹脂またはオレフィン系樹脂中に分散されていることを特徴とする、請求項１から５の何れかに記載のＬＥＤ。
【発明の詳細な説明】
【技術分野】
【０００１】
本発明は、所謂電球色の光を出射するＬＥＤに関するものである。
【背景技術】
【０００２】
近年、地球温暖化対策や資源の有効活用等の観点から、省電力で寿命の長い照明器具が強く要望されてきている。
これに対して、ＬＥＤは、最近の短波長化及び高輝度化が急速に進んできており、特に青色ＬＥＤを利用した白色ＬＥＤが照明用途として期待されている。
【０００３】
従来、白色ＬＥＤとして、青色ＬＥＤチップからの光を蛍光体層で黄色光に変換して、青色ＬＥＤチップからの青色光と混色することにより、外部に白色光を出射するようにした砲弾型または表面実装型の白色ＬＥＤが知られている。
【０００４】
ここで、砲弾型の白色ＬＥＤは、例えば図４に示すように構成されている。
即ち、図４において、白色ＬＥＤ１は、一対のリードフレーム２，３と、一方のリードフレーム２の上端面に形成されたチップ実装部２ａ上に実装された青色ＬＥＤチップ４と、上記リードフレーム２のチップ実装部２ａ上にて上記青色ＬＥＤチップ４を包囲するように形成された蛍光体５ａを混入した蛍光体層２と、上記リードフレーム２，３の上端そして青色ＬＥＤチップ４及び蛍光体層５を包囲するようにモールド樹脂により形成されたレンズ部６と、から構成されている。
【０００５】
上記リードフレーム２，３は、それぞれその先端にチップ実装部２ａ及びボンディング部２ｂ，３ａを備えるように、アルミニウム等の導電性材料から形成されていると共に、他端が、下方に延びて端子部２ｃ，３ｂを構成している。
【０００６】
上記青色ＬＥＤチップ４は、上記リードフレーム２のチップ実装部２ａ上に接合されると共に、その上面に設けられた二つの電極が、それぞれリードフレーム２，３の先端のボンディング部２ｂ，３ａに対してボンディングワイヤ４ａ，４ｂにより電気的に接続されるようになっている。
ここで、上記青色ＬＥＤチップ４は、例えばＧａＮチップとして構成されており、上記リードフレーム２，３を介して駆動電圧が印加されたとき、４５０乃至４７０ｎｍにピーク波長を有する光を発するようになっている。
【０００７】
上記蛍光体層５は、微粒子状の蛍光体５ａを混入した例えば透明エポキシ樹脂等から構成されており、上記リードフレーム２のチップ実装部２ａ上に形成され、硬化されている。
そして、この蛍光体層５に、青色ＬＥＤチップ４からの青色光が入射することにより、蛍光体５ａが励起され、蛍光体５ａから黄色光を発生させると共に、これらの混色による白色光が外部に出射するようになっている。
【０００８】
ここで、蛍光体５ａは、例えばセリウムをドープしたＹＡＧ蛍光体，セリウムをドープしたＴＡＧ蛍光体，あるいはオルトシリケート蛍光体（ＢａＳｒＣａ）ＳｉＯ4 等の黄色を中心に幅広い光を発する蛍光体が使用され、例えば５３０乃至５９０ｎｍにピーク波長を有する蛍光を発するようになっている。
【０００９】
上記レンズ部６は、例えば透明エポキシ樹脂等から構成されており、青色ＬＥＤチップ４及び蛍光体層５を中心に、二本のリードフレーム２，３の上端付近全体を包囲するように形成されている。
【００１０】
このような構成の白色ＬＥＤ１によれば、一対のリードフレーム２，３を介して青色ＬＥＤチップ４に駆動電圧が印加されると、青色ＬＥＤチップ４が発光し、この光が蛍光体層５に混入された蛍光体５ａに入射することにより、蛍光体５ａが励起されて黄色光を発生させる。
そして、この黄色光が、青色ＬＥＤチップ４からの青色光と混色されることにより、白色光として外部に出射されることになる。この場合、白色光は、例えば図５に示すようなスペクトル分布を有している。
【００１１】
また、表面実装型の白色ＬＥＤ７は、例えば図６に示すように、構成されている。
図６において、白色ＬＥＤ７は、チップ基板８と、チップ基板上に搭載された青色ＬＥＤチップ４と、青色ＬＥＤチップ４を包囲するようにチップ基板８上に形成された枠状部材９と、枠状部材９の凹陥部９ａ内に充填された蛍光体層５と、から構成されている。
【００１２】
上記チップ基板８は、平坦な銅張り配線基板として耐熱性樹脂から構成されており、その表面にチップ実装ランド８ａ，電極ランド８ｂと、これらから両端縁を介して下面に回り込む表面実装用端子部８ｃ，８ｄと、を備えている。
そして、チップ基板８のチップ実装ランド８ａ上に青色ＬＥＤチップ４が接合されると共に、チップ実装ランド８ａ及び隣接する電極ランド８ｂに対してそれぞれワイヤボンディングにより電気的に接続されるようになっている。
【００１３】
上記枠状部材９は、同様に耐熱性樹脂によりチップ基板８上に形成されると共に、青色ＬＥＤチップ４の周りを包囲するように逆円錐台状の凹陥部９ａを備えている。尚、この凹陥部９ａの内面は、反射面として構成されている。
【００１４】
このような構成の白色ＬＥＤ７によれば、表面実装用端子８ｃ，８ｄを介して青色ＬＥＤチップ４に駆動電圧が印加されると、青色ＬＥＤチップ４が発光し、この光が蛍光体層５に混入された蛍光体５ａに入射することにより、蛍光体５ａが励起されて黄色光を発生させる。
そして、この黄色光が、青色ＬＥＤチップ４からの青色光と混色されることにより、白色光として外部に出射されることになる。
【発明の開示】
【発明が解決しようとする課題】
【００１５】
しかしながら、このような構成の白色ＬＥＤ１，７においては、以下のような問題がある。
即ち、青色ＬＥＤチップ４から出射した青色光を蛍光体５ａにより波長変換して黄色光を発生させ、これら青色光と黄色光の混色により、白色を出射するようになっており、この白色光は、例えば５０００乃至６０００Ｋの色温度を有している。
これに対して、従来照明光源として１００年以上の長い間使用されてきた白熱電球は、例えば２８００乃至３００Ｋ程度の色温度を有している。
【００１６】
ところで、白色ＬＥＤを従来の白熱電球の代わりに照明器具に使用する場合、前述したように比較的高い色温度のために、図５に示すように赤色領域の光量が不十分であることから、白熱電球の赤みを帯びた温かみのある所謂電球色とは異なり、青白い光に見えることになり、冷たい印象を与えることになってしまう。
【００１７】
また、最近になって、青色光で励起されて赤色光を発生させる赤色蛍光体も開発されてきており、このような赤色蛍光体を使用することも考えられるが、赤色蛍光体は、一般に例えばアルカリ土類金属から成ることから、湿度に弱く、信頼性の高いＬＥＤを構成することが困難であると共に、十分な光量の赤色光を得ることができない。
【００１８】
本発明は、以上の点から、簡単な構成により、温かみのある白色光を出射するようにしたＬＥＤを提供することを目的としている。
【課題を解決するための手段】
【００１９】
上記目的は、本発明によれば、一対の電極部材と、一方の電極部材の先端に設けられたチップ実装部上に接合されると共に、双方の電極部材に対して電気的に接続されたＬＥＤチップと、このＬＥＤチップを包囲するように形成された波長変換材料を混入した透明樹脂部と、を含んでいるＬＥＤであって、上記ＬＥＤチップが、紫外光，青色光及び／または緑色光を出射するＬＥＤチップであり、上記透明樹脂部に混入された波長変換材料が、上記ＬＥＤチップからの少なくとも一部の光をより長波長の緑色光及び赤色光に変換することを特徴とする、ＬＥＤにより、達成される。
【００２０】
本発明によるＬＥＤは、好ましくは、上記一対の電極部材が、互いに並行に延びる二本のリードフレームであって、さらに、双方のＬＥＤチップ及び透明樹脂部を包囲する透明樹脂から成るレンズ部を備えている。
【００２１】
本発明によるＬＥＤは、好ましくは、上記一対の電極部材が、チップ基板上に形成され、チップ基板裏面まで回り込んで表面実装用端子を画成する導電パターンから構成されており、上記透明樹脂部が、チップ基板上に形成された枠状部材のチップ実装部を露出させるように上方に拡った凹陥部内に充填されている。
【００２２】
本発明によるＬＥＤは、好ましくは、上記波長変換材料が、ＬＥＤチップからの光により、５３５乃至５６０ｎｍにピーク波長を有する緑色光と、６２０乃至６４０ｎｍにピーク波長を有する赤色光を発生させる。
【００２３】
本発明によるＬＥＤは、好ましくは、上記波長変換材料が、第一の蛍光体としてのチオガレート蛍光体と、第二の蛍光体としての希土類を付活したアルミン酸塩または希土類を付活したオルトケイ酸塩と、を含んでいる。
【００２４】
本発明によるＬＥＤは、好ましくは、上記波長変換材料が、フェニル基を含まない脂環式エポキシ樹脂またはオレフィン系樹脂中に分散されている。
【発明の効果】
【００２５】
上記構成によれば、一対の電極部材を介してＬＥＤチップに駆動電圧が印加されることにより、ＬＥＤチップが光を出射する。
そして、ＬＥＤチップから出射した紫外光，青色光または緑色光は、透明樹脂部を介して外部に出射する。その際、ＬＥＤチップから出射した光の少なくとも一部が、透明樹脂部内の波長変換材料に入射することにより、波長変換材料が励起され、例えば５３５乃至５６０ｎｍにピーク波長を有する緑色光と、例えば６２０乃至６４０ｎｍにピーク波長を有する赤色光を出射することになる。
【００２６】
従って、これらの紫外光，青色光または緑色光と、波長変換材料からの緑色光及び赤色光が互いに混色されることにより、従来の青色光と黄色の蛍光との混色により青白い白色光を出射する白色ＬＥＤと比較して、赤色領域の光を有する色再現性に優れた温かみのある白色光、特に電球色光が得られることになる。
【００２７】
上記一対の電極部材が、互いに並行に延びる二本のリードフレームであって、さらに、双方のＬＥＤチップ及び透明樹脂部を包囲する透明樹脂から成るレンズ部を備えている場合には、砲弾型のＬＥＤを構成することができる。
【００２８】
上記一対の電極部材が、チップ基板上に形成され、チップ基板裏面まで回り込んで表面実装用端子を画成する導電パターンから構成されており、上記透明樹脂部が、チップ基板上に形成された枠状部材のチップ実装部を露出させるように上方に拡った凹陥部内に充填されている場合には、表面実装型のＬＥＤを構成することができる。
【００２９】
上記波長変換材料が、第一の蛍光体としてのチオガレート蛍光体と、第二の蛍光体としての希土類を付活したアルミン酸塩または希土類を付活したオルトケイ酸塩と、を含んでいる場合には、これらの材料が湿度に強いことから、信頼性の高いＬＥＤが構成され得ることになる。
【００３０】
上記波長変換材料が、フェニル基を含まない脂環式エポキシ樹脂またはオレフィン系樹脂中に分散されている場合には、波長変換材料が確実に封止されることによって、同様にして湿度による影響を受けないので、信頼性の高いＬＥＤが構成され得ることになる。
【００３１】
このようにして、本発明によれば、ＬＥＤチップにより紫外光，青色光または緑色を照射すると共に、ＬＥＤチップからの光を波長変換材料により緑色光及び赤色光に変換して照射することにより、これらの混色により色再現性及び信頼性に優れた白色ＬＥＤを構成することができる。
従って、赤色領域の光を含む温かみのある白色光を照射することができるので、従来の白熱電球の代わりに照明光源として各種照明器具や液晶バックライト用照明光源等の照明装置に使用することができる。これにより、従来の白熱電球を使用した場合と同様の照明効果が得られると共に、消費電力及び発熱量が少なく、且つ超寿命の光源が得られることになる。
【発明を実施するための最良の形態】
【００３２】
以下、この発明の好適な実施形態を図１乃至図３を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【実施例１】
【００３３】
図１は、本発明によるＬＥＤの第一の実施形態の構成を示している。
図１において、ＬＥＤ１０は、所謂砲弾型のＬＥＤとして構成されており、一対のリードフレーム１１，１２と、一方のリードフレーム１１の上端面に形成されたチップ実装部１１ａ上に実装された青色ＬＥＤチップ１３と、上記リードフレーム１１のチップ実装部１１ａ上にて上記青色ＬＥＤチップ１３を包囲するように形成された蛍光体１４ａを混入した透明樹脂部１４と、上記リードフレーム１１，１２の上端そして青色ＬＥＤチップ１３及び透明樹脂部１４を包囲するようにモールド樹脂により形成されたレンズ部１５と、から構成されている。
【００３４】
上記リードフレーム１１，１２は、それぞれその上端にチップ実装部１１ａ及びボンディング部１１ｂ，１２ａを備えるように、アルミニウム等の導電性材料から形成されていると共に、他端が、下方に延びて端子部１１ｃ，１１ｂを構成している。
【００３５】
上記青色ＬＥＤチップ１３は、上記リードフレーム１１のチップ実装部１１ａ上に接合されると共に、その上面に設けられた二つの電極が、それぞれリードフレーム１１，１２の先端のボンディング部１１ｂ，１２ａに対してワイヤボンディングにより電気的に接続されるようになっている。
ここで、上記青色ＬＥＤチップ１３は、例えばＧａＮチップとして構成されており、上記リードフレーム１１，１２を介して駆動電圧が印加されたとき、４５０乃至４７０ｎｍにピーク波長を有する光を発するようになっている。
【００３６】
上記透明樹脂部１４は、微粒子状の第一の蛍光体１４ａ及び第二の蛍光体１４ｂを混入した例えば酸無水物硬化またはカチオン硬化のエポキシ樹脂またはオレフィン系樹脂を組み合わせることにより構成されており、上記リードフレーム１１のチップ実装部１１ａ上に形成され、硬化されている。
そして、この透明樹脂部１４に、青色ＬＥＤチップ１３からの青色光が入射することにより、第一の蛍光体１４ａが励起されて、蛍光体１４ａから緑色光を発生させると共に、第二の蛍光体１４ｂが励起されて、蛍光体１４ｂから赤色光を発生させるようになっている。
【００３７】
ここで、第一の蛍光体１４ａは、例えばチオガレート蛍光体が使用され、例えば５３５乃至５６０ｎｍにピーク波長を有する緑色の蛍光を発するようになっている。
また、第二の蛍光体１４ａは、例えばセリウムをドープしたＹＡＧ蛍光体，セリウムをドープしたＴＡＧ蛍光体またはオルトシリケート蛍光体が使用され、例えば６２０乃至６４０ｎｍにピーク波長を有する赤色の蛍光を発するようになっている。
【００３８】
上記レンズ部１５は、例えば透明エポキシ樹脂等から構成されており、青色ＬＥＤチップ１３及び透明樹脂部１４を中心に、二本のリードフレーム１１，１２の上端付近全体を包囲するように形成されている。
【００３９】
本発明実施形態によるＬＥＤ１０は、以上のように構成されており、一対のリードフレーム１１，１２を介して青色ＬＥＤチップ１３に駆動電圧が印加されると、青色ＬＥＤチップ１３が発光して、青色光が出射する。
そして、青色ＬＥＤチップ１３から出射する青色光の一部が、透明樹脂部１４に混入された蛍光体１４ａ及び１４ｂに入射することにより、蛍光体１４ａ及び１４ｂが励起されて、緑色光及び赤色光を発生させる。
この緑色光及び赤色光が、上記ＬＥＤチップ１３からの青色光と互いに混色されることにより、白色光となって、透明樹脂部１４を通って、レンズ部１５に入射し、さらにこのレンズ部１５から外部に出射することになる。
【００４０】
このようにして、本発明実施形態による表面実装型白色ＬＥＤ１０によれば、上記ＬＥＤチップ１３から出射する青色光と、蛍光体層１４ａ及び１４ｂによる緑色光及び赤色光とが互いに混色されることにより、図２のスペクトル分布グラフに示すように、赤色領域の光を含む色再現性に優れた白色光、特に電球色光が得られることになる。
この場合、蛍光体１４ａ，１４ｂは、上記透明樹脂により確実に封止されることになるので、比較的湿度に強く、信頼性の高いＬＥＤ１０が得られることになる。
【実施例２】
【００４１】
図３は、本発明によるＬＥＤの第二の実施形態の構成を示している。
図３において、ＬＥＤ２０は、所謂表面実装型のＬＥＤとして構成されており、チップ基板２１と、チップ基板２１上に搭載された青色ＬＥＤチップ２２と、青色ＬＥＤチップ２２を包囲するようにチップ基板２１上に形成された枠状部材２３と、枠状部材２３の凹陥部２３ａ内に充填された透明樹脂部２４と、から構成されている。
【００４２】
尚、上記青色ＬＥＤチップ２２及び透明樹脂部２４は、図１に示したＬＥＤ１０における青色ＬＥＤチップ１３及び透明樹脂部１４と同じ構成であるので、その説明を省略する。
【００４３】
上記チップ基板２１は、平坦な銅張り配線基板として耐熱性樹脂から構成されており、その表面にチップ実装ランド２１ａ，電極ランド２１ｂと、これらから両端縁を介して下面に回り込む表面実装用端子部２１ｃ，２１ｄと、を備えている。
そして、チップ基板２１のチップ実装ランド２１ａ上に青色ＬＥＤチップ２２が接合されると共に、青色ＬＥＤチップ２２は、その表面がチップ実装ランド２１ａ及び隣接する電極ランド２１ｂに対してそれぞれワイヤボンディングにより電気的に接続されるようになっている。
【００４４】
上記枠状部材２３は、同様に耐熱性樹脂によりチップ基板２１上に形成されると共に、青色ＬＥＤチップ２２の周りを包囲するように逆円錐台状の凹陥部２３ａを備えている。尚、この凹陥部２３ａの内面は、反射面として構成されている。
【００４５】
このような構成のＬＥＤ２０によれば、表面実装用端子２１ｃ，２１ｄを介して青色ＬＥＤチップ２２に駆動電圧が印加されると、青色ＬＥＤチップ２２が発光して、青色光が出射する。
そして、青色ＬＥＤチップ２２から出射する青色光の一部が、透明樹脂部２４に混入された蛍光体２４ａ及び２４ｂに入射することにより、蛍光体２４ａ及び２４ｂが励起されて、緑色光及び赤色光を発生させる。
この緑色光及び赤色光が、上記ＬＥＤチップ２２からの青色光と互いに混色されることにより、白色光となって、透明樹脂部２４を通って、一部が直接に、また他の一部が枠状部材２３の凹陥部２３ａの内面で反射されて、外部に出射することになる。
【００４６】
このようにして、上述したＬＥＤ２０によれば、図１に示したＬＥＤ１０と同様に作用して、上記ＬＥＤチップ２２から出射する青色光と、蛍光体層２４ａ及び２４ｂによる緑色光及び赤色光とが互いに混色されることにより、赤色領域の光を含む色再現性に優れた白色光、特に電球色光が得られることになる。
この場合、蛍光体２４ａ，２４ｂは、上記透明樹脂により確実に封止されることになるので、比較的湿度に強く、信頼性の高いＬＥＤ２０が得られることになる。
【産業上の利用可能性】
【００４７】
上述した実施形態においては、ＬＥＤチップ１３は、４５０乃至４７０ｎｍにピーク波長を有するように構成されているが、これに限らず、例えば４４０乃至４８０ｎｍにピーク波長を有していればよく、また青色ＬＥＤチップに限らず、紫外線ＬＥＤチップや緑色ＬＥＤチップであってもよい。
また、上述した実施形態においては、透明樹脂部１４，２４を構成する透明樹脂として、酸無水物硬化またはカチオン硬化のエポキシ樹脂またはオレフィン系樹脂を組み合わせたものが使用されているが、これに限らず、蛍光体１４ａ，１４ｂ，２４ａ，２４ｂを分散させて確実に封止するものであればよく、例えばフェニル基を含まない脂環式エポキシ樹脂またはオレフィン系樹脂も使用され得る。
【００４８】
このようにして、本発明によれば、簡単な構成により、温かみのある白色光を出射するようにしたＬＥＤが提供され得る。
【図面の簡単な説明】
【００４９】
【図１】本発明によるＬＥＤの第一の実施形態の構成を示す概略断面図である。
【図２】図１のＬＥＤによる白色光のスペクトル分布を示すグラフである。
【図３】本発明によるＬＥＤの第二の実施形態の構成を示す概略断面図である。
【図４】従来の砲弾型白色ＬＥＤの一例の構成を示す概略断面図である。
【図５】図４のＬＥＤによる白色光のスペクトル分布を示すグラフである。
【図６】従来の表面実装型白色ＬＥＤの一例の構成を示す概略断面図である。
【符号の説明】
【００５０】
１０    ＬＥＤ（砲弾型ＬＥＤ）
１１，１２    リードフレーム（電極部材）
１１ａ  チップ実装部
１１ｂ，１２ａ  ボンディング部
１１ｃ，１２ｂ  端子部
１３    青色ＬＥＤチップ
１４    透明樹脂部
１４ａ  蛍光体
１５    レンズ部
１７    金線
２０    ＬＥＤ（表面実装型ＬＥＤ）
２１    チップ基板
２１ａ  チップ実装ランド（電極部材）
２１ｂ  電極ランド（電極部材）
２１ｃ，２１ｄ  表面実装用端子部
２２    青色ＬＥＤチップ
２３    枠状部材
２３ａ  凹陥部
２４    透明樹脂部
２４ａ  蛍光体
【図１】
2005285925.tif 000003
【図２】
2005285925.tif 000004
【図３】
2005285925.tif 000005
【図４】
2005285925.tif 000006
【図５】
2005285925.tif 000007
【図６】
2005285925.tif 000008